(57)【要約】      （修正有）【課題】小型で、無限遠から至近距離まで高い光学性能を有するズームレンズ及び撮像装置を提供すること【解決手段】本発明は、物体側から像側へ順に配置された、負の屈折力の第１レンズ群Ｌ１、正の屈折力の第２レンズ群Ｌ２、負の屈折力の第３レンズ群Ｌ３、正の屈折力の第４レンズ群Ｌ４より構成され、ズーミングに際して隣り合うレンズ群の間隔が変化するズームレンズに関する。第２レンズ群Ｌ２は、フォーカシングに際して、不動の第１部分群Ｌ２ａと、第１部分群Ｌ２ａの像側に配置され且つ物体側へ移動する第２部分群Ｌ２ｂを有し、第３レンズ群Ｌ３はフォーカシングに際して像側へ移動する。このようなズームレンズの、第２部分群Ｌ２ｂの焦点距離、第３レンズ群Ｌ３の焦点距離、望遠端においてフォーカシングするときの、第２部分群Ｌ２ｂの移動量及び第３レンズ群Ｌ３の移動量を条件式により定めている。【選択図】図１
2019066653.tif 000002
【特許請求の範囲】
【請求項１】
物体側から像側へ順に配置された、負の屈折力の第１レンズ群、正の屈折力の第２レンズ群、負の屈折力の第３レンズ群、正の屈折力の第４レンズ群より構成され、ズーミングに際して隣り合うレンズ群の間隔が変化するズームレンズであって、
前記第２レンズ群は、無限遠から最至近距離へのフォーカシングに際して不動の第１部分群と、前記第１部分群の像側に配置され、無限遠から最至近距離へのフォーカシングに際して物体側へ移動する第２部分群を有し、
前記第３レンズ群は、無限遠から最至近距離へのフォーカシングに際して像側へ移動し、
前記第２部分群の焦点距離をｆ２ｂ、前記第３レンズ群の焦点距離をｆ３、望遠端において無限遠から最至近距離へフォーカシングするときの前記第２部分群の移動量をＭｔ２ｂ、望遠端において無限遠から最至近距離へフォーカシングするときの前記第３レンズ群の移動量をＭｔ３とし、各移動量の符号は無限遠から最至近距離へのフォーカシングに際して像側へ移動するときを正とするとき、
−７．５＜ｆ２ｂ／ｆ３＜０
−２．０＜Ｍｔ２ｂ／Ｍｔ３＜−０．１５
の条件式を満たすことを特徴とするズームレンズ。
【請求項２】
−５．５＜ｆ２ｂ／ｆ３＜−２．５
−１．７＜Ｍｔ２ｂ／Ｍｔ３＜−０．１７
の条件式を満たすことを特徴とする請求項１に記載のズームレンズ。
【請求項３】
前記第２部分群の最も物体側のレンズ面の曲率半径をＲ２ｂｆ、前記第２部分群の最も像側のレンズ面の曲率半径をＲ２ｂｒとするとき、
−１．０＜（Ｒ２ｂｆ＋Ｒ２ｂｒ）／（Ｒ２ｂｆ−Ｒ２ｂｒ）＜−０．１
の条件式を満たすことを特徴とする請求項１又は２に記載のズームレンズ。
【請求項４】
前記第２部分群は負レンズと正レンズからなり、該負レンズのアッベ数をνｄ２ｂｎ、該正レンズのアッベ数をνｄ２ｂｐとするとき、
４０＜νｄ２ｂｐ−νｄ２ｂｎ＜７０
の条件式を満たすことを特徴とする請求項１乃至３のいずれか１項に記載のズームレンズ。
【請求項５】
前記第２部分群は、前記第２レンズ群のうち前記第３レンズ群に最も近いレンズを含むことを特徴とする請求項１乃至４のいずれか１項に記載のズームレンズ。
【請求項６】
物体側から像側へ順に配置された、負の屈折力の第１レンズ群、正の屈折力の第２レンズ群、負の屈折力の第３レンズ群、正の屈折力の第４レンズ群より構成され、ズーミングに際して隣り合うレンズ群の間隔が変化するズームレンズであって、
前記第２レンズ群は、無限遠から最至近距離へのフォーカシングに際して不動の第１部分群と、前記第１部分群の物体側に配置され、無限遠から最至近距離へのフォーカシングに際して像側へ移動する第２部分群を有し、
前記第３レンズ群は、無限遠から最至近距離へのフォーカシングに際して像側へ移動し、
前記第２部分群の焦点距離をｆ２ｂ、前記第３レンズ群の焦点距離をｆ３、望遠端において無限遠から最至近距離へフォーカシングするときの前記第２部分群の移動量をＭｔ２ｂ、望遠端において無限遠から最至近距離へフォーカシングするときの前記第３レンズ群の移動量をＭｔ３とし、各移動量の符号は無限遠から最至近距離へのフォーカシングに際して像側へ移動するときを正とするとき、
−３．０＜ｆ２ｂ／ｆ３＜０
０＜Ｍｔ２ｂ／Ｍｔ３＜２．０
の条件式を満たすことを特徴とするズームレンズ。
【請求項７】
−２．５＜ｆ２ｂ／ｆ３＜０
０＜Ｍｔ２ｂ／Ｍｔ３＜１．８
の条件式を満たすことを特徴とする請求項６に記載のズームレンズ。
【請求項８】
前記第２部分群の最も物体側のレンズ面の曲率半径をＲ２ｂｆ、前記第２部分群の最も像側のレンズ面の曲率半径をＲ２ｂｒとするとき、
−２．１＜（Ｒ２ｂｆ＋Ｒ２ｂｒ）／（Ｒ２ｂｆ−Ｒ２ｂｒ）＜−１．４
の条件式を満たすことを特徴とする請求項５又は６に記載のズームレンズ。
【請求項９】
前記第２部分群は負レンズと正レンズとを含み、該負レンズのアッベ数をνｄ２ｂｎ、該正レンズのアッベ数をνｄ２ｂｐとするとき、
−３０＜νｄ２ｂｐ−νｄ２ｂｎ＜０
の条件式を満たすことを特徴とする請求項５乃至８のいずれか１項に記載のズームレンズ。
【請求項１０】
前記第３レンズ群の広角端における横倍率をβ３ｗ、前記第３レンズ群の望遠端における横倍率をβ３ｔとするとき、
０．５＜β３ｔ／β３ｗ＜２．０
の条件式を満たすことを特徴とする請求項１乃至９のいずれか１項に記載のズームレンズ。
【請求項１１】
前記第３レンズ群の望遠端における横倍率をβ３ｔ、前記第４レンズ群の望遠端における横倍率をβ４ｔとするとき、
−４．５＜（１−β３ｔ２）×β４ｔ２＜−２．０
の条件式を満たすことを特徴とする請求項１乃至１０のいずれか１項に記載のズームレンズ。
【請求項１２】
像ぶれ補正に際して、第１部分群を構成するレンズの全部又は一部が光軸に垂直な成分を持つ方向に移動することを特徴とする請求項１乃至１１のいずれか１項に記載のズームレンズ。
【請求項１３】
物体側から像側へ順に配置された、負の屈折力の第１レンズ群、正の屈折力の第２レンズ群、正の屈折力の第３レンズ群、負の屈折力の第４レンズ群、正の屈折力の第５レンズ群より構成され、ズーミングに際して隣り合うレンズ群の間隔が変化するズームレンズであって、
前記第３レンズ群は、無限遠から最至近距離へのフォーカシングに際して物体側へ移動し、
前記第４レンズ群は、無限遠から至近距離へのフォーカシングに際して像側へ移動し、
前記第３レンズ群の焦点距離をｆ３、前記第４レンズ群の焦点距離をｆ４、望遠端において無限遠から最至近距離へフォーカシングするときの前記第３レンズ群の移動量をＭｔ３、望遠端において無限遠から最至近距離へフォーカシングするときの前記第４レンズ群の移動量をＭｔ４とし、各移動量の符号は無限遠から最至近距離へのフォーカシングに際して像側へ移動するときを正とするとき、
−７．５＜ｆ３／ｆ４＜０
−２．０＜Ｍｔ３／Ｍｔ４＜−０．１５
の条件式を満たすことを特徴とするズームレンズ。
【請求項１４】
−５．５＜ｆ３／ｆ４＜−２．５
−１．７＜Ｍｔ３／Ｍｔ４＜−０．１７
の条件式を満たすことを特徴とする請求項１３に記載のズームレンズ。
【請求項１５】
前記第３レンズ群の最も物体側のレンズ面の曲率半径をＲ３ｆ、前記第３レンズ群の最も像側のレンズ面の曲率半径Ｒ３ｒとするとき、
−１．０＜（Ｒ３ｆ＋Ｒ３ｒ）／（Ｒ３ｆ−Ｒ３ｒ）＜−０．１
の条件式を満たすことを特徴とする請求項１４に記載のズームレンズ。
【請求項１６】
前記第３レンズ群は負レンズと正レンズからなり、該負レンズのアッベ数をνｄ３ｎ、該正レンズのアッベ数をνｄ３ｐとするとき、
４０＜νｄ３ｐ−νｄ３ｎ＜７０
の条件式を満たすことを特徴とする請求項１３乃至１５のいずれか１項に記載のズームレンズ。
【請求項１７】
前記第４レンズ群の広角端における横倍率をβ４ｗ、前記第４レンズ群の望遠端における横倍率をβ４ｔとするとき、
０．５＜β４ｔ／β４ｗ＜２．０
の条件式を満たすことを特徴とする請求項１３乃至１６のいずれか１項に記載のズームレンズ。
【請求項１８】
前記第４レンズ群の望遠端における横倍率をβ４ｔ、前記第５レンズ群の望遠端における横倍率をβ５ｔとするとき、
−４．５＜（１−β４ｔ２）×β５ｔ２＜−２．０
の条件式を満たすことを特徴とする請求項１３乃至１７のいずれか１項に記載のズームレンズ。
【請求項１９】
広角端での有効像円径が望遠端での有効像円径よりも小さいことを特徴とする請求項１乃至１８のいずれか１項に記載のズームレンズ。
【請求項２０】
請求項１乃至１９のいずれか１項に記載のズームレンズと、該ズームレンズによって形成される像を受光する撮像素子を有することを特徴とする撮像装置。
【発明の詳細な説明】
【技術分野】
【０００１】
本発明は、ズームレンズ及び撮像装置に関する。
【背景技術】
【０００２】
フォーカシングに際して複数のレンズ群を移動させることにより、フォーカシングに伴う収差変動を低減した光学系が知られている。
【０００３】
特許文献１は、フォーカシングに際して第３レンズ群と第４レンズ群が移動するズームレンズを開示している。
【先行技術文献】
【特許文献】
【０００４】
【特許文献１】特開平６−１８０４２３号公報
【発明の概要】
【発明が解決しようとする課題】
【０００５】
しかしながら、特許文献１に記載のズームレンズでは、フォーカシングに際しての第４レンズ群の移動量が大きくなってしまい、ズームレンズ全体の大型化を招く恐れがある。
【０００６】
本発明は上記課題に鑑み、小型で、無限遠から至近距離まで高い光学性能を有するズームレンズ及び撮像装置を提供することを目的とする。
【課題を解決するための手段】
【０００７】
本発明の一側面のズームレンズは、物体側から像側へ順に配置された、負の屈折力の第１レンズ群、正の屈折力の第２レンズ群、負の屈折力の第３レンズ群、正の屈折力の第４レンズ群より構成され、ズーミングに際して隣り合うレンズ群の間隔が変化するズームレンズであって、前記第２レンズ群は、無限遠から最至近距離へのフォーカシングに際して不動の第１部分群と、前記第１部分群の像側に配置され、無限遠から最至近距離へのフォーカシングに際して物体側へ移動する第２部分群を有し、前記第３レンズ群は、無限遠から最至近距離へのフォーカシングに際して像側へ移動し、前記第２部分群の焦点距離をｆ２ｂ、前記第３レンズ群の焦点距離をｆ３、望遠端において無限遠から最至近距離へフォーカシングするときの前記第２部分群の移動量をＭｔ２ｂ、望遠端において無限遠から最至近距離へフォーカシングするときの前記第３レンズ群の移動量をＭｔ３とし、各移動量の符号は無限遠から最至近距離へのフォーカシングに際して像側へ移動するときを正とするとき、
−７．５＜ｆ２ｂ／ｆ３＜０
−２．０＜Ｍｔ２ｂ／Ｍｔ３＜−０．１５
の条件式を満たすことを特徴とする。
【０００８】
また、本発明の別側面のズームレンズは、物体側から像側へ順に配置された、負の屈折力の第１レンズ群、正の屈折力の第２レンズ群、負の屈折力の第３レンズ群、正の屈折力の第４レンズ群より構成され、ズーミングに際して隣り合うレンズ群の間隔が変化するズームレンズであって、前記第２レンズ群は、無限遠から最至近距離へのフォーカシングに際して不動の第１部分群と、前記第１部分群の物体側に配置され、無限遠から最至近距離へのフォーカシングに際して像側へ移動する第２部分群を有し、前記第３レンズ群は、無限遠から最至近距離へのフォーカシングに際して像側へ移動し、前記第２部分群の焦点距離をｆ２ｂ、前記第３レンズ群の焦点距離をｆ３、望遠端において無限遠から最至近距離へフォーカシングするときの前記第２部分群の移動量をＭｔ２ｂ、望遠端において無限遠から最至近距離へフォーカシングするときの前記第３レンズ群の移動量をＭｔ３とし、各移動量の符号は無限遠から最至近距離へのフォーカシングに際して像側へ移動するときを正とするとき、
−３．０＜ｆ２ｂ／ｆ３＜０
０＜Ｍｔ２ｂ／Ｍｔ３＜２．０
の条件式を満たすことを特徴とする。
【０００９】
また、本発明の別側面のズームレンズは、物体側から像側へ順に配置された、負の屈折力の第１レンズ群、正の屈折力の第２レンズ群、正の屈折力の第３レンズ群、負の屈折力の第４レンズ群、正の屈折力の第５レンズ群より構成され、ズーミングに際して隣り合うレンズ群の間隔が変化するズームレンズであって、前記第３レンズ群は、無限遠から最至近距離へのフォーカシングに際して物体側へ移動し、前記第４レンズ群は、無限遠から至近距離へのフォーカシングに際して像側へ移動し、前記第３レンズ群の焦点距離をｆ３、前記第４レンズ群の焦点距離をｆ４、望遠端において無限遠から最至近距離へフォーカシングするときの前記第３レンズ群の移動量をＭｔ３、望遠端において無限遠から最至近距離へフォーカシングするときの前記第４レンズ群の移動量をＭｔ４とし、各移動量の符号は無限遠から最至近距離へのフォーカシングに際して像側へ移動するときを正とするとき、
−７．５＜ｆ３／ｆ４＜０
−２．０＜Ｍｔ３／Ｍｔ４＜−０．１５
の条件式を満たすことを特徴とする。
【発明の効果】
【００１０】
本発明によれば、小型で、無限遠から至近距離まで高い光学性能を有するズームレンズ及び撮像装置を実現することができる。
【図面の簡単な説明】
【００１１】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】実施例６のズームレンズの断面図である。
【図１２】実施例６のズームレンズの収差図である。
【図１３】実施例７のズームレンズの断面図である。
【図１４】実施例７のズームレンズの収差図である。
【図１５】撮像装置の構成を示す図である。
【発明を実施するための形態】
【００１２】
以下、本発明のズームレンズ及び撮像装置について、添付の図面に基づいて詳細に説明する。
【００１３】
［ズームレンズの実施例］
本発明のズームレンズは、複数のレンズ群を有し、ズーミングに際して隣り合うレンズ群の間隔が変化する。各レンズ群は、１枚以上のレンズを有していればよく、複数枚のレンズを有していなくても良い。
【００１４】
各実施例のズームレンズはビデオカメラやデジタルカメラ、銀塩フィルムカメラ、テレビカメラ等の撮像装置に用いられる撮影光学系である。図１、３、５、７、１１、１３に示すズームレンズの断面図において左方が物体側（前方）であり、右方が像側（後方）である。また各断面図において、ｉを物体側から像側へのレンズ群の順番とするとＬｉは第ｉレンズ群を示す。
【００１５】
ビデオカメラやデジタルカメラなどの撮像装置に各実施例のズームレンズを使用する場合は、像面ＩＰは、ＣＣＤセンサ又はＣＭＯＳセンサ等の固体撮像素子（光電変換素子）に相当する。銀塩フィルムカメラの撮像装置に各実施例のズームレンズを使用する場合は、像面ＩＰはフィルム面に相当する。広角端から望遠端へのズーミングに際して、図中の実線矢印に示すように各レンズ群が移動する。また、無限遠から最至近距離へのフォーカシングに際して、破線矢印に示すように、所定のレンズ群又は所定のレンズ群の一部が移動する。
【００１６】
球面収差図においてＦｎｏはＦナンバーであり、実線はｄ線（波長５８７．６ｎｍ）、二点鎖線はｇ線（波長４３５．８ｎｍ）に対する球面収差を示している。非点収差図において実線ΔＳはサジタル像面、破線ΔＭはメリディオナル像面である。歪曲収差はｄ線について示している。色収差図ではｇ線における色収差を示している。ωは半画角（度）である。
【００１７】
「広角端」と「望遠端」は、各レンズ群が機構的に移動可能な範囲の両端に位置したときのズーム位置をいう。
【００１８】
本発明の実施例１〜４のズームレンズは、物体側から像側へ順に配置された、負の屈折力の第１レンズ群、正の屈折力の第２レンズ群、負の屈折力の第３レンズ群、正の屈折力の第４レンズ群を有する。ズーミングに際して隣り合うレンズ群の間隔が変化する。
【００１９】
第２レンズ群は、無限遠から最至近距離へのフォーカシングに際して不動の第１部分群と、当該第１部分群の像側に配置され、無限遠から最至近距離へのフォーカシングに際して物体側へ移動する第２部分群を有する。また、第３レンズ群は、無限遠から最至近距離へのフォーカシングに際して像側へ移動する。
【００２０】
本発明の実施例５のズームレンズは、物体側から像側へ順に配置された、負の屈折力の第１レンズ群、正の屈折力の第２レンズ群、負の屈折力の第３レンズ群、正の屈折力の第４レンズ群を有する。ズーミングに際して隣り合うレンズ群の間隔が変化する。第２レンズ群は、無限遠から最至近距離へのフォーカシングに際して不動の第１部分群と、当該第１部分群の物体側に配置され、無限遠から最至近距離へのフォーカシングに際して像側へ移動する第２部分群を有する。また、第３レンズ群は、無限遠から最至近距離へのフォーカシングに際して像側へ移動する。
【００２１】
本発明の実施例６、７のズームレンズは、物体側から像側へ順に配置された、負の屈折力の第１レンズ群、正の屈折力の第２レンズ群、正の屈折力の第３レンズ群、負の屈折力の第４レンズ群、正の屈折力の第５レンズ群を有する。ズーミングに際して隣り合うレンズ群の間隔が変化する。さらに、実施例７、８のズームレンズでは、無限遠から最至近距離へのフォーカシングに際して第３レンズ群が物体側へ移動し、第４レンズ群が像側へ移動する。
【００２２】
実施例１〜５においては、軸上光束の光束径が比較的小さい第３レンズ群がフォーカシングに際して移動することにより、無限遠から最至近距離へのフォーカシングに伴う球面収差の変動を生じにくくしている。さらに、無限遠から最至近距離へのフォーカシングに際して第２レンズ群の第２部分群が移動することにより、フォーカシングに伴う収差変動を低減している。第２部分群は、絞りに近い位置に配置されているため軸上光束の光束径が比較的大きく、軸外光線が光軸から離れた位置を通過するため、球面収差だけでなく像面湾曲の変動も低減することができる。この観点から、第２部分群は、特に、第３レンズ群に最も近いレンズを含むことが好ましい。
【００２３】
実施例６、７では、実施例１〜４と同様の理由により、無限遠から最至近距離へのフォーカシングに際して第４レンズ群が像側に移動すると共に、該フォーカシングに伴う収差変動を低減するために、無限遠から最至近距離へのフォーカシングに際して第３レンズ群が物体側へ移動する。
【００２４】
実施例１〜４のズームレンズは、
−７．５＜ｆ２ｂ／ｆ３＜０                  …（１）
−２．０＜Ｍｔ２ｂ／Ｍｔ３＜−０．１５      …（２）
の条件式を満たす。
【００２５】
実施例５のズームレンズは、
−３．０＜ｆ２ｂ／ｆ３＜０                  …（１’）
０＜Ｍｔ２ｂ／Ｍｔ３＜２．０                …（２’）
の条件式を満たす。
【００２６】
実施例６、７のズームレンズは、
−７．５＜ｆ３／ｆ４＜０                    …（１”）
−２．０＜Ｍｔ３／Ｍｔ４＜−０．１５        …（２”）
の条件式を満たす。
【００２７】
ただし、実施例１〜５において、第２部分群の焦点距離をｆ２ｂ、第３レンズ群の焦点距離をｆ３とする。望遠端において無限遠から最至近距離へフォーカシングするときの、第２部分群の移動量をＭｔ２ｂ、第３レンズ群の移動量をＭｔ３とする。
【００２８】
また、実施例６、７において、第３レンズ群の焦点距離をｆ３、第４レンズ群の焦点距離をｆ４とする。望遠端において無限遠から最至近距離へのフォーカシングするときの第３レンズ群の移動量をＭｔ３、第４レンズ群の移動量をＭｔ４とする。
【００２９】
各移動量Ｍｔ２ｂ、Ｍｔ３、Ｍｔ４の符号は、無限遠から最至近距離へのフォーカシングに際して像側へ移動するときを正、物体側へ移動するときを負とする。
【００３０】
条件式（１）、（１’）は、フォーカシングに際して移動する第２部分群と第３レンズ群の焦点距離に関する。条件式（１）、（１’）の下限値を下回ると、第２部分群の屈折力が弱くなり、球面収差の補正が困難となるため好ましくない。条件式（１）、（１’）の上限値を上回ると、第３レンズ群の屈折力が弱くなり、像面湾曲の補正が困難になると共に、フォーカシングの際の第２部分群及び第３レンズ群の移動量が増大し、ズームレンズの大型化を招くため好ましくない。
【００３１】
条件式（１”）は、フォーカシングに際して移動する第３レンズ群と第４レンズ群の焦点距離に関する。条件式（１”）の下限値を下回ると、第３レンズ群の屈折力が弱くなり、球面収差の補正が困難となるため好ましくない。また、条件式（１”）の上限値を上回ると、第４レンズ群の屈折力が弱くなり、像面湾曲の補正が困難になると共に、フォーカシングの際の第３レンズ群及び第４レンズ群の移動量が増大し、ズームレンズの大型化を招くため好ましくない。
【００３２】
条件式（２）、（２’）は、第２部分群と第３レンズ群のフォーカシングの際の移動量に関する。条件式（２）、（２’）の下限値を下回ると、第２部分群の移動量が大きくなることにより、フォーカシング時の像面湾曲の変動量が大きくなる。また、条件式（２）、（２’）の上限値を上回ると、第３レンズ群の移動量が大きくなることにより、フォーカシング時の像面湾曲の変動量が大きくなる。このように、条件式（２）、（２’）を満たさないことにより、像面湾曲の補正が困難になると共に、フォーカシングの際の第２部分群又は第３レンズ群の移動量が増大し、ズームレンズの大型化を招くため好ましくない。
【００３３】
条件式（２”）は、第２部分群と第３レンズ群のフォーカシングの際の移動量に関する。条件式（２”）の下限値を下回ると、第２部分群の移動量が大きくなることにより、フォーカシング時の像面湾曲の変動量が大きくなる。また、条件式（２”）の上限値を上回ると、第３レンズ群の移動量が大きくなることにより、フォーカシング時の像面湾曲の変動量が大きくなる。このように、条件式（２”）を満たさないことにより、像面湾曲の補正が困難になると共に、フォーカシングの際の第２部分群又は第３レンズ群の移動量が増大し、ズームレンズの大型化を招くため好ましくない。
【００３４】
したがって、以上の条件式を満たすことにより、小型で、無限遠から至近距離まで高い光学性能を有するズームレンズを実現することができる。
【００３５】
実施例１〜４のズームレンズの構成において、好ましくは、条件式（１）、（２）の数値範囲を次のように設定するのが良い。
−５．５＜ｆ２ｂ／ｆ３＜−２．５              …（１ａ）
−１．７＜Ｍｔ２ｂ／Ｍｔ３＜−０．１７        …（２ａ）
【００３６】
より好ましくは、実施例１〜４のそれぞれにおいて、条件式（１）、（２）の数値範囲を次のように設定するのが良い。
−５．０＜ｆ２ｂ／ｆ３＜−３．０              …（１ｂ）
−１．４＜Ｍｔ２ｂ／Ｍｔ３＜−０．２          …（２ｂ）
【００３７】
実施例５のズームレンズの構成において、好ましくは、条件式（１’）、（２’）の数値範囲を次のように設定するのが良い。
−２．５＜ｆ２ｂ／ｆ３＜０                    …（１ａ’）
０＜Ｍｔ２ｂ／Ｍｔ３＜１．８                  …（２ａ’）
【００３８】
より好ましくは、実施例５のズームレンズの構成において、条件式（１’）、（２’）の数値範囲を次のように設定するのが良い。
−２．０＜ｆ２ｂ／ｆ３＜０                    …（１ｂ’）
０＜Ｍｔ２ｂ／Ｍｔ３＜１．５                  …（２ｂ’）
【００３９】
実施例６、７のズームレンズの構成において、好ましくは、条件式（１”）、（２”）の数値範囲を次のように設定するのが良い。
−５．５＜ｆ３／ｆ４＜−２．５                …（１ａ”）
−１．７＜Ｍｔ３／Ｍｔ４＜−０．１７          …（２ａ”）
【００４０】
より好ましくは、実施例６、７のそれぞれにおいて、条件式（１”）、（２”）の数値範囲を次のように設定するのが良い。
−５．０＜ｆ３／ｆ４＜−３．０                …（１ｂ”）
−１．４＜Ｍｔ３／Ｍｔ４＜−０．２            …（２ｂ”）
【００４１】
さらに、実施例１〜４において、次の条件式のうち１つ以上を満足することがより好ましい。
−１．０＜（Ｒ２ｂｆ＋Ｒ２ｂｒ）／（Ｒ２ｂｆ−Ｒ２ｂｒ）＜−０．１…（３）
４０＜νｄ２ｂｐ−νｄ２ｂｎ＜７０            …（４）
０．５＜β３ｔ／β３ｗ＜２．０                …（５）
−４．５＜（１−β３ｔ２）×β４ｔ２＜−２．０  …（６）
【００４２】
さらに、実施例５において、次の条件式のうち１つ以上を満足することがより好ましい。
−２．１＜（Ｒ２ｂｆ＋Ｒ２ｂｒ）／（Ｒ２ｂｆ−Ｒ２ｂｒ）＜−１．４…（３’）
−３０＜νｄ２ｂｐ−νｄ２ｂｎ＜０            …（４’）
０．５＜β３ｔ／β３ｗ＜２．０                …（５’）
−４．５＜（１−β３ｔ２）×β４ｔ２＜−２．０  …（６’）
【００４３】
さらに、実施例６、７において、次の条件式のうち１つ以上を満足することがより好ましい。
−１．０＜（Ｒ３ｆ＋Ｒ３ｒ）／（Ｒ３ｆ−Ｒ３ｒ）＜−０．１…（３”）
４０＜νｄ３ｐ−νｄ３ｎ＜７０                            …（４”）
０．５＜β４ｔ／β４ｗ＜２．０                            …（５”）
−４．５＜（１−β４ｔ２）×β５ｔ２＜−２．０              …（６”）
【００４４】
アッベ数νｄは、Ｆ線（４８６．１ｎｍ）、Ｃ線（６５６．３ｎｍ）、ｄ線（５８７．６ｎｍ）に対する材料の屈折率をそれぞれＮＦ、ＮＣ、Ｎｄとするとき、
νｄ＝（Ｎｄ−１）／（ＮＦ−ＮＣ）
で表される数値である。
【００４５】
条件式（３）、（３’）について、第２部分群の、最も物体側のレンズ面の曲率半径をＲ２ｂｆ、最も像側のレンズ面の曲率半径をＲ２ｂｒとする。条件式（４）、（４’）について、第２部分群は負レンズと正レンズの接合レンズを有し、該負レンズのアッベ数をνｄ２ｂｎ、該正レンズのアッベ数をνｄ２ｂｐとする。条件式（５）、（５’）について、第３レンズ群の広角端における横倍率をβ３ｗ、第３レンズ群の望遠端における横倍率をβ３ｔとする。条件式（６）、（６’）について、第３レンズ群の望遠端における横倍率をβ３ｔ、第４レンズ群の望遠端における横倍率をβ４ｔとする。
【００４６】
条件式（３”）について、第３レンズ群の、最も物体側のレンズ面の曲率半径をＲ３ｆ、最も像側のレンズ面の曲率半径をＲ３ｒとする。条件式（４”）について、第３レンズ群は負レンズと正レンズの接合レンズからなり、該負レンズのアッベ数をνｄ３ｎ、該正レンズのアッベ数をνｄ３ｐとする。条件式（５”）について、第４レンズ群の広角端における横倍率をβ４ｗ、第４レンズ群の望遠端における横倍率をβ４ｔとする。条件式（６”）について、第４レンズ群の望遠端における横倍率をβ４ｔ、第５レンズ群Ｌ５の望遠端における横倍率をβ４ｔとする。
【００４７】
条件式（３）、（３’）は、第２部分群の形状に関し、望遠側におけるフォーカシング時の収差補正に関する。条件式（３）、（３’）の下限値を下回ると、第２部分群の物体側のレンズ面の曲率が大きくなり、フォーカシングに伴う像面湾曲の変動が大きくなるため好ましくない。また、条件式（３）、（３’）の上限値を上回ると、第２部分群の像側のレンズ面の曲率が大きくなり、フォーカシングに伴う球面収差の変動が大きくなるため好ましくない。
【００４８】
条件式（３”）は、第３レンズ群の形状に関し、特に、望遠側におけるフォーカシング時の収差補正に関する。条件式（３”）の下限値を下回ると、第３レンズ群の物体側のレンズ面の曲率が大きくなり、フォーカシングに伴う像面湾曲の変動が大きくなるため好ましくない。また、条件式（３”）の上限値を上回ると、第３レンズ群の像側のレンズ面の曲率が大きくなり、フォーカシングに伴う球面収差の変動が大きくなるため好ましくない。
【００４９】
条件式（４）は、第２部分群のレンズのアッベ数に関する。条件式（４）の下限値を下回ると、負レンズと正レンズのアッベ数の差が小さくなりすぎて、特に軸上色収差を補正することが困難となるため好ましくない。条件式（４）の上限値を上回ると、接合レンズを構成する各レンズの屈折力が弱くなり、球面収差の補正が困難になるため好ましくない。
【００５０】
条件式（４’）は、第２部分群のレンズのアッベ数に関する。条件式（４）の上限値を上回ると、負レンズと正レンズのアッベ数の差が小さくなりすぎて、特に軸上色収差を補正することが困難となるため好ましくない。条件式（４’）の下限値を下回ると、接合レンズを構成する各レンズの屈折力が弱くなり、球面収差の補正が困難になるため好ましくない。  条件式（４”）は、第３レンズ群のレンズのアッベ数に関する。条件式（４”）の下限値を下回ると、負レンズと正レンズのアッベ数の差が小さくなりすぎて、特に軸上色収差を補正することが困難となるため好ましくない。条件式（４”）の上限値を上回ると、接合レンズを構成する各レンズの屈折力が弱くなり、球面収差の補正が困難になるため好ましくない。
【００５１】
条件式（５）、（５’）は、第３レンズ群の倍率に関する。条件式（５）、（５’）の下限値を下回ると、第３レンズ群の変倍作用が小さくなり、所定の変倍比を確保することが困難となるため好ましくない。又は、第３レンズ群の移動量が大きくなり、ズームレンズの大型化を招くため、好ましくない。条件式（５）、（５’）の上限値を上回ると、球面収差、像面湾曲の補正が困難となるため好ましくない。
【００５２】
条件式（５”）は、第４レンズ群の倍率に関する。条件式（５”）の下限値を下回ると、第４レンズ群の変倍作用が小さくなり、所定の変倍比を確保することが困難となるため好ましくない。又は、第４レンズ群Ｌ４の移動量が大きくなり、ズームレンズの大型化を招くため、好ましくない。条件式（５”）の上限値を上回ると、球面収差、像面湾曲の補正が困難となるため好ましくない。
【００５３】
条件式（６）、（６’）は、第３レンズ群と第４レンズ群の望遠端における横倍率に関し、特に、第３レンズ群のフォーカス敏感度に関する。条件式（６）、（６’）の下限値を下回ると、第３レンズ群のフォーカス敏感度が大きくなりすぎて、機械的な停止精度を確保することが困難となるため好ましくない。条件式（６）、（６’）の上限値を上回ると、フォーカシング時の第３レンズ群の移動量が大きくなり、ズームレンズが大型化すると共に、フォーカシングに伴う球面収差や像面湾曲等の収差変動が大きくなるため好ましくない。
【００５４】
条件式（６”）は、第４レンズ群と第５レンズ群の望遠端における横倍率に関し、特に、第４レンズ群のフォーカス敏感度に関する。条件式（６”）の下限値を下回ると、第４レンズ群のフォーカス敏感度が大きくなりすぎて、機械的な停止精度を確保することが困難となるため好ましくない。条件式（６”）の上限値を上回ると、フォーカシング時の第４レンズ群の移動量が大きくなり、ズームレンズが大型化すると共に、フォーカシングに伴う球面収差や像面湾曲等の収差変動が大きくなるため好ましくない。
【００５５】
実施例１〜４のそれぞれにおいて、好ましくは、条件式（３）〜（６）の数値範囲を次のように設定するのが良い。
−０．８＜（Ｒ２ｂｆ＋Ｒ２ｂｒ）／（Ｒ２ｂｆ−Ｒ２ｂｒ）＜−０．１…（３ａ）
４２＜νｄ２ｂｐ−νｄ２ｂｎ＜６８                                …（４ａ）
０．６＜β３ｔ／β３ｗ＜１．８                                    …（５ａ）
−４．３＜（１−β３ｔ２）×β４ｔ２＜−２．２                      …（６ａ）
【００５６】
より好ましくは、実施例１〜４のそれぞれにおいて、条件式（３）〜（６）の数値範囲を次のように設定するのが良い。
−０．６＜（Ｒ２ｂｆ＋Ｒ２ｂｒ）／（Ｒ２ｂｆ−Ｒ２ｂｒ）＜−０．１  …（３ｂ）
４５＜νｄ２ｂｐ−νｄ２ｂｎ＜６５                                …（４ｂ）
０．７＜β３ｔ／β３ｗ＜１．５                                    …（５ｂ）
−４．０＜（１−β３ｔ２）×β４ｔ２＜−２．５                      …（６ｂ）
【００５７】
実施例５において、好ましくは、条件式（３’）〜（６’）の数値範囲を次のように設定するのが良い。
−１．９＜（Ｒ２ｂｆ＋Ｒ２ｂｒ）／（Ｒ２ｂｆ−Ｒ２ｂｒ）＜−１．３…（３ａ’）
−２８＜νｄ２ｂｐ−νｄ２ｂｎ＜−２                              …（４ａ’）
０．６＜β３ｔ／β３ｗ＜１．８                                    …（５ａ’）
−４．３＜（１−β３ｔ２）×β４ｔ２＜−２．２                    …（６ａ’）
【００５８】
より好ましくは、実施例５において、条件式（３’）〜（６’）の数値範囲を次のように設定するのが良い。
−１．７（Ｒ２ｂｆ＋Ｒ２ｂｒ）／（Ｒ２ｂｆ−Ｒ２ｂｒ）＜−１．２  …（３ｂ’）
−２６＜νｄ２ｂｐ−νｄ２ｂｎ＜−４                              …（４ｂ’）
０．７＜β３ｔ／β３ｗ＜１．５                                    …（５ｂ’）
−４．０＜（１−β３ｔ２）×β４ｔ２＜−２．５                    …（６ｂ’）
【００５９】
実施例６、７のそれぞれにおいて、好ましくは、条件式（３”）〜（６”）の数値範囲を次のように設定するのが良い。
−０．８＜（Ｒ３ｆ＋Ｒ３ｒ）／（Ｒ３ｆ−Ｒ３ｒ）＜−０．１        …（３ａ”）
４２＜νｄ３ｐ−νｄ３ｎ＜６８                                    …（４ａ”）
０．６＜β４ｔ／β４ｗ＜１．８                                    …（５ａ”）
−４．３＜（１−β４ｔ２）×β５ｔ２＜−２．２                    …（６ａ”）
【００６０】
より好ましくは、実施例６、７のそれぞれにおいて、条件式（３”）〜（６”）の数値範囲を次のように設定するのが良い。
−０．６＜（Ｒ３ｆ＋Ｒ３ｒ）／（Ｒ３ｆ−Ｒ３ｒ）＜−０．１        …（３ｂ”）
４５＜νｄ３ｐ−νｄ３ｎ＜６５                                    …（４ｂ”）
０．７＜β４ｔ／β４ｗ＜１．５                                    …（５ｂ”）
−４．０＜（１−β４ｔ２）×β５ｔ２＜−２．５                    …（６ｂ”）
【００６１】
また、実施例１〜５のズームレンズにおいて、像ぶれ補正に際して、第１部分群を構成するレンズの全部又は一部を光軸に対して垂直な成分を持つ方向に移動させても良い。この際、移動させるレンズは一枚のレンズであっても複数枚のレンズであってもよい。開口絞りに近い位置では軸上光束及び軸外光束を含む光束の径が小さく、移動させるレンズの径を小さく構成することができるので、鏡筒の小型化に有利となる。
【００６２】
各実施例において、ズームレンズが接続されたカメラ本体において歪曲収差を画像処理によって補正しても良い。この場合、ズームレンズを、広角端での有効像円径が望遠端での有効像円径よりも小さくなるように構成することが好ましい。これにより、最も物体側のレンズの有効径を小型化することができる。
【００６３】
実施例１〜４のズームレンズについて詳細に説明する。
【００６４】
図１は、実施例１のズームレンズの断面図である。図２（ａ）、図２（ｂ）、図２（ｃ）は、それぞれ、広角端と中間位置と望遠端における収差図である。
【００６５】
図３は、実施例２のズームレンズの断面図である。図４（ａ）、図４（ｂ）、図４（ｃ）は、それぞれ、広角端と中間位置と望遠端における収差図である。
【００６６】
図５は、実施例３のズームレンズの断面図である。図６（ａ）、図６（ｂ）、図６（ｃ）は、それぞれ、広角端と中間位置と望遠端における収差図である。
【００６７】
図７は、実施例４のズームレンズの断面図である。図８（ａ）、図８（ｂ）、図８（ｃ）は、それぞれ、広角端と中間位置と望遠端における収差図である。
【００６８】
実施例１〜４のズームレンズでは、広角端から望遠端へのズーミングに際して、各レンズ群の間隔が変化する。当該ズーミングに際して、第１レンズ群Ｌ１が像側に凸の軌跡で移動し、第２レンズ群Ｌ２が物体側に移動することによって変倍を行う。このとき、第１レンズ群Ｌ１と第２レンズ群Ｌ２との間隔が狭まり、第２レンズ群Ｌ２と第３レンズ群Ｌ３との間隔が広がり、第３レンズ群Ｌ３と第４レンズ群Ｌ４との間隔が広がるように移動する。第３レンズ群Ｌ３が物体側に移動することによって、変倍に伴う像面変動を補正している。ズーミングに際して第４レンズ群は不動である。
【００６９】
第１レンズ群Ｌ１は、物体側から像側へ順に配置された、物体側に凸面を向けたメニスカス形状の１枚又は２枚の負レンズ、両面が凹面の負レンズ、物体側に凸面を向けたメニスカス形状の正レンズからなる。後述の数値実施例１〜４のズームレンズでは、第１レンズ群Ｌ１の屈折力を適切な範囲にすることで、第１レンズ群Ｌ１を小型にしている。また、第１レンズ群Ｌ１の負の屈折力を複数の負レンズで分担し、負レンズの各レンズ面の曲率半径を大きくすることにより、広角端における歪曲収差と像面湾曲を低減している。
【００７０】
第２レンズ群Ｌ２は、開口絞りＳＰと、物体側から像側へ順に配置された、物体側に凸面を向けたメニスカス形状の負レンズと両面に凸面を向けた正レンズとからなる接合レンズ、物体側に凹面を向けたメニスカス形状の負レンズと像側に凸面を向けたメニスカス形状の正レンズとからなる接合レンズ、両面が凸面の正レンズ、及び物体側に凸面を向けたメニスカス形状の負レンズと両面に凸面を向けた正レンズとからなる接合レンズからなる。
【００７１】
第２レンズ群Ｌ２のうち最も像側に配置された接合レンズを部分群Ｌ２ｂとし、第２レンズ群Ｌ２のうち部分群Ｌ２ｂよりも物体側の部分を部分群Ｌ２ａとする。このとき、部分群Ｌ２ａが第１部分群であり、部分群Ｌ２ｂが第２部分群である。
【００７２】
後述の数値実施例１〜４のズームレンズでは、第２レンズ群Ｌ２が正レンズを複数含むことにより、球面収差の発生を低減している。さらに、複数の正レンズと負レンズとを複数配置することにより、第２レンズ群Ｌ２による、軸上色収差、コマ収差の発生を低減している。さらに、部分群Ｌ２ｂの接合レンズを構成するレンズに異常分散ガラスを用いることにより軸上色収差を良好に補正している。
【００７３】
なお、異常分散ガラスとは、レンズの異常分散性をΔθｇＦとするとき、ΔθｇＦｐ＝θｇＦ−（０．６４１４６−０．００１６１８νｄ）を満足する材料のことをいう。θｇＦは、θｇＦ＝（Ｎｇ−ＮＦ）／（ＮＦ−ＮＣ）で表される部分分散比であり、νｄは該異常分散性を有するレンズのアッベ数である。
【００７４】
第３レンズ群Ｌ３は、像側が凸面の正レンズと両面が凹面の負レンズとからなる接合レンズと、両面が凹面の負レンズとからなる。第３レンズ群Ｌ３を少ないレンズ枚数で構成することにより、第３レンズ群Ｌ３の軽量化とフォーカシングの際の光学性能の変化を低減している。第３レンズ群Ｌ３において、最も像側に負の非球面を配置することにより、ズーム全域における像面湾曲を良好に補正している。
【００７５】
第４レンズ群Ｌ４は像側が凸面の正レンズ１枚からなる。第４レンズ群Ｌ４を少ないレンズ枚数で構成することにより、第４レンズ群を光軸方向に薄型に構成している。特に、第４レンズ群Ｌ４の正レンズの像側を凸面にすることにより、ズーム全域の像面湾曲を良好に補正している。また、第４レンズ群Ｌ４として低分散材料を使用することにより倍率色収差を良好に補正している。
【００７６】
無限遠から最至近距離へのフォーカシングに際して、部分群Ｌ２ａは不動であり、部分群Ｌ２ｂが物体側に移動し、第３レンズ群Ｌ３が像側に移動する。当該フォーカシングに際して第１レンズ群Ｌ１、第４レンズ群Ｌ４は、不動であっても良いし、光軸方向に移動しても良い。
【００７７】
実施例５のズームレンズについて詳細に説明する。
【００７８】
図９は、実施例５のズームレンズの断面図である。図１０（ａ）、図１０（ｂ）、図１０（ｃ）は、それぞれ、広角端と中間位置と望遠端における収差図である。
【００７９】
実施例５のズームレンズは、広角端から望遠端へのズーミングに際して、各レンズ群の間隔が変化する。当該ズーミングに際して、第１レンズ群Ｌ１が像側に凸の軌跡で移動し、第２レンズ群Ｌ２が物体側に移動することによって変倍を行う。具体的には、第１レンズ群Ｌ１と第２レンズ群Ｌ２との間隔が狭まり、第２レンズ群Ｌ２と第３レンズ群Ｌ３との間隔が広がり、第３レンズ群Ｌ３と第Ｌ４レンズ群との間隔が広がるように移動する。このとき、第３レンズ群Ｌ３が物体側に移動することによって、変倍に伴う像面変動を補正している。ズーミングに際して第４レンズ群は不動である。
【００８０】
実施例５のズームレンズでは、第１レンズ群Ｌ１、第３レンズ群Ｌ３、及び第４レンズ群Ｌ４の構成は実施例１〜４のズームレンズと同様であるので説明を省略する。
【００８１】
実施例５のズームレンズの第２レンズ群Ｌ２は、物体側から像側へ順に配置された、部分群Ｌ２ａ、部分群Ｌ２ｂ、部分群Ｌ２ｃからなる。部分群Ｌ２ａは、物体側から像側へ順に配置された、物体側に凸面を向けたメニスカス形状の負レンズと両面に凸面を向けた正レンズとからなる接合レンズからなる。部分群Ｌ２ｂは、物体側から像側へ順に配置された、物体側に凹面を向けたメニスカス形状の負レンズと像側に凸面を向けたメニスカス形状の正レンズとからなる接合レンズ、両面が凸面の正レンズからなる。部分群Ｌ２ｃは、物体側から像側へ順に配置された、物体側に凸面を向けたメニスカス形状の負レンズと両面に凸面を向けた正レンズとからなる接合レンズからなる。
【００８２】
実施例５では、部分群Ｌ２ｃが第１部分群であり、部分群Ｌ２ｂが第２部分群である。実施例５において、部分群Ｌ２ｂに含まれる接合レンズに異常分散ガラスを用いている。
【００８３】
無限遠から最至近距へのフォーカシングに際して、部分群Ｌ２ａと部分群Ｌ２ｃは不動であり、部分群Ｌ２ｂが像側に移動し、第３レンズ群Ｌ３が像側に移動する。
【００８４】
部分群Ｌ２ａと部分群Ｌ２ｂの両方を移動させるのではなく、部分群Ｌ２ｂのみを移動させることにより、フォーカシングに際して移動するレンズを軽量化することができる。また、部分群Ｌ２ｂが像側、すなわち部分群Ｌ２ｂを通過する光束の幅が広くなる方向に移動することで、より収差補正の効果を高めることができる。
【００８５】
実施例６、７のズームレンズについて詳細に説明する。
【００８６】
図１１は、実施例６のズームレンズの断面図である。図１２（ａ）、図１２（ｂ）、図１２（ｃ）は、それぞれ、広角端と中間位置と望遠端における収差図である。
【００８７】
図１３は、実施例７のズームレンズの断面図である。図１４（ａ）、図１４（ｂ）、図１４（ｃ）は、それぞれ、広角端と中間位置と望遠端における収差図である。
【００８８】
実施例６、７のズームレンズは、物体側から像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５を有する。
【００８９】
実施例６、７のズームレンズにおいて、第１レンズ群Ｌ１、第２レンズ群Ｌ２の構成は実施例１〜４と同様であるため詳細な説明は省略する。また、実施例６、７のズームレンズの第４レンズ群Ｌ４の構成は実施例１〜４の第３レンズ群Ｌ３と同様であり、実施例６、７における第５レンズ群Ｌ５の構成は実施例１〜４の第４レンズ群Ｌ４と同様であるため、詳細な説明は省略する。実施例６、７の第３レンズ群Ｌ３は、物体側に凸面を向けたメニスカス形状の負レンズと両面に凸面を向けた正レンズとからなる接合レンズである。
【００９０】
広角端から望遠端へのズーミングに際して、各レンズ群の間隔が変化する。当該ズーミングに際して、第１レンズ群Ｌ１が像側に凸の軌跡で移動し、第２レンズ群Ｌ２及び第３レンズ群Ｌ３が物体側に移動することによって変倍を行う。第１レンズ群Ｌ１と第２レンズ群Ｌ２との間隔が狭まり、第２レンズ群Ｌ２と第３レンズ群Ｌ３との間隔が広がり、第３レンズ群Ｌ３と第４レンズ群Ｌ４との間隔が広がり、第４レンズ群Ｌ４と第５レンズ群Ｌ５との間隔が広がるように移動する。このとき、第４レンズ群Ｌ４が物体側に移動することで変倍に伴う像面変動を補正している。また、広角端から望遠端へのズーミングに際して、実施例６のズームレンズの第５レンズ群Ｌ５は不動であり、実施例７のズームレンズの第５レンズ群Ｌ５は物体側に凸の軌跡で移動する。
【００９１】
無限遠から最至近距離へのフォーカシングに際して、第３レンズ群Ｌ３が物体側に移動し、第４レンズ群Ｌ４が像側に移動する。当該フォーカシングに際して第１レンズ群Ｌ１、第５レンズ群Ｌ５は、不動であっても良いし、光軸方向に移動しても良い。
【００９２】
［数値実施例］
以下に、実施例１〜７にそれぞれ対応する数値実施例１〜７を示す。数値実施例１〜５に関して、各条件式に対応する数値を表１に示す。数値実施例６、７に関して、各条件式に対応する数値を表２に示す。
【００９３】
また、数値実施例１〜７において、ｉは物体側からの光学面の順序を示す。ｒは光学面の曲率半径、ｄは光学面の間隔、ｎｄとνｄはそれぞれｄ線に対する光学部材の材料の屈折率、アッベ数を示す。
【００９４】
非球面は各数値実施例中の面番号の右側に＊印を付している。またＫを円錐定数、Ｂ、Ｃ、Ｄ、Ｅを非球面係数、光軸からの高さｈの位置での光軸方向の変位を面頂点を基準にしてｘとするとき、非球面形状は、
ｘ＝（ｈ２／Ｒ）／［１＋［１−（１＋Ｋ）（ｈ／Ｒ）２］１／２］＋Ａ４×ｈ４＋Ａ６×ｈ６＋Ａ８×ｈ８＋Ａ１０×ｈ１０＋Ａ１２×ｈ１２＋Ａ１４×ｈ１４＋Ａ１６×ｈ１６
なる式で表示される。但しＲは近軸曲率半径である。また「ｅ−Ｚ」の表示は「１０−Ｚ」を意味する。
【００９５】
バックフォーカス（ＢＦ）は、光学系の最も像側の面から像面までの距離を、空気換算長により表したものである。
【００９６】
（数値実施例１）
単位 mm
面データ
面番号       r        d      nd         vd
1*      1901.692    2.50   1.62263    58.2
2*        16.323    7.48
3*       258.851    2.20   1.76385    48.5
4*        49.824    6.75
5       -102.874    1.30   1.95375    32.3
6        642.677    0.15
7         48.845    4.51   1.89286    20.4
8       1028.436  (可変)
9(絞り)    ∞       1.00
10         27.799    0.90   2.00100    29.1
11         15.745    6.32   1.67300    38.1
12       -185.910    5.10
13        -24.672    1.00   1.95375    32.3
14       -118.333    3.26   1.89286    20.4
15        -31.801    0.15
16         26.985    6.61   1.43875    94.9
17        -50.211    0.30
18          ∞       1.45
19         25.602    0.95   2.00069    25.5
20         13.682    7.57   1.49700    81.5
21        -76.149  (可変)
22      -2523.861    7.38   1.92286    18.9
23        -13.220    0.90   1.92119    24.0
24         40.943    1.83
25       -110.822    1.20   1.85400    40.4
26*       450.564  (可変)
27        -73.398    6.64   1.69680    55.5
28        -30.204   13.00
像面        ∞
非球面データ
第1面
K = 0.00000e+000  A 4= 5.49958e-006  A 6=-2.81781e-010  A 8=-2.68976e-013  A10= 3.64609e-015  A12=-8.61203e-018  A14= 4.02945e-021  A16= 7.68201e-024
第2面
K =-4.24379e-001  A 4=-3.60977e-005  A 6=-3.51621e-008  A 8=-2.22092e-011  A10=-1.31742e-013  A12= 1.00902e-016
第3面
K = 0.00000e+000  A 4=-7.45096e-006  A 6= 1.45573e-009  A 8= 6.15434e-012  A10=-3.27432e-014  A12= 6.07012e-017
第4面
K = 5.16104e+000  A 4= 1.72843e-005  A 6= 3.12500e-008  A 8= 3.94590e-011  A10=-1.60512e-014  A12=-6.94310e-016
第26面
K = 0.00000e+000  A 4= 3.92106e-005  A 6= 6.49171e-008  A 8=-8.87330e-011  A10=-3.87200e-012  A12= 1.17680e-014
各種データ
ズーム比      2.82
広角     中間     望遠
焦点距離      14.43    21.92    40.74
Fナンバー      4.12     4.12     4.12
半画角          56.30    44.63    27.97
像高          21.64    21.64    21.64
レンズ全長   137.99   127.79   129.00
BF            13.00    13.00    13.00
d 8           37.50    18.88     1.49
d21            4.30     6.46    11.15
d26            5.74    12.00    25.90
レンズ群データ
群  始面    焦点距離  レンズ構成長
1    1     -23.69        24.90
2    9      26.71        34.61
3   22     -30.46        11.31
4   27      69.29         6.64
フォーカシング時の移動量
Mt2b=-1.168
Mt3 = 1.862
部分群Ｌ２ｂの焦点距離
f2b = 107.95
【００９７】
(数値実施例２)
単位 mm
面データ
面番号       r        d      nd         vd
1*        79.094    2.50   1.69680    55.5
2*        14.552   11.46
3*       -42.055    1.30   1.85135    40.1
4*        52.582    0.15
5         26.323    6.02   2.00069    25.5
6        322.091  (可変)
7(絞り)    ∞       1.00
8         32.232    0.80   2.00272    19.3
9         13.309    5.46   1.80518    25.4
10       -164.128    5.30
11        -20.312    0.80   1.67300    38.1
12       -102.222    2.53   1.89286    20.4
13        -42.742    0.15
14         39.636    3.96   1.69680    55.5
15        -44.049    0.20
16          ∞       0.84
17         31.643    0.90   2.00069    25.5
18         13.858    7.86   1.49700    81.5
19        -42.764  (可変)
20         75.345    7.34   1.95906    17.5
21        -15.256    0.90   1.84666    23.8
22         32.348    2.61
23        -48.941    1.10   1.92286    20.9
24*       124.049  (可変)
25       -350.896    8.89   1.49700    81.5
26        -30.183   12.78
像面        ∞
非球面データ
第1面
K = 0.00000e+000  A 4=-4.07291e-006  A 6= 1.51265e-008  A 8=-3.18974e-012  A10= 1.88532e-014  A12=-7.86440e-017  A14= 8.52548e-020  A16= 3.22002e-023
第2面
K =-3.18749e-001  A 4=-3.24030e-005  A 6=-1.20453e-007  A 8= 2.09097e-010  A10=-1.36892e-012  A12= 3.68897e-015  A14=-1.21576e-017  A16= 5.80187e-021
第3面
K = 0.00000e+000  A 4=-7.47929e-006  A 6= 6.93702e-008  A 8=-1.44025e-010  A10= 2.28127e-013  A12=-1.65406e-016
第4面
K = 8.56229e+000  A 4= 1.60169e-005  A 6= 9.96282e-008  A 8=-1.01109e-010  A10= 2.94997e-013  A12=-2.99558e-015
第24面
K = 0.00000e+000  A 4= 4.44077e-005  A 6= 2.17847e-008  A 8= 1.03916e-010  A10=-3.70148e-012  A12= 4.12092e-015
各種データ
ズーム比      2.36
広角     中間     望遠
焦点距離      16.41    23.08    38.80
Fナンバー      4.12     4.12     4.12
半画角          52.82    43.15    29.14
像高          21.64    21.64    21.64
レンズ全長   118.88   112.79   115.20
BF            12.78    12.78    12.78
d 6           27.48    14.61     1.88
d19            0.70     2.62     6.05
d24            5.85    10.70    22.42
レンズ群データ
群  始面    焦点距離  レンズ構成長
1    1     -25.26        21.43
2    7      24.82        29.80
3   20     -33.17        11.96
4   25      65.84         8.89
フォーカシング時の移動量
Mt2b=-0.637
Mt3 = 2.790
部分群Ｌ２ｂの焦点距離
f2b = 133.20
【００９８】
（数値実施例３）
単位 mm
面データ
面番号       r        d      nd         vd
1*      1769.711    2.50   1.62263    58.2
2*        16.203    7.53
3*       237.305    2.20   1.76385    48.5
4*        49.744    6.86
5        -94.921    1.30   1.95375    32.3
6       3570.580    0.15
7         48.912    4.45   1.89286    20.4
8        737.525  (可変)
9(絞り)    ∞       1.00
10         27.917    0.90   2.00100    29.1
11         15.645    6.40   1.67300    38.1
12       -169.725    5.10
13        -24.661    1.00   1.95375    32.3
14       -136.671    3.34   1.89286    20.4
15        -31.951    0.15
16         26.917    6.68   1.43875    94.9
17        -48.793    0.30
18          ∞       1.39
19         25.761    0.95   2.00069    25.5
20         13.641    7.62   1.49700    81.5
21        -73.003  (可変)
22       3179.783    7.29   1.92286    18.9
23        -13.273    0.90   1.92119    24.0
24         40.064    1.83
25       -117.759    1.20   1.85400    40.4
26*       275.130  (可変)
27        -76.538    6.88   1.69680    55.5
28        -30.702   12.84
像面        ∞
非球面データ
第1面
K = 0.00000e+000  A 4= 5.42781e-006  A 6=-2.81079e-010  A 8=-2.91175e-013  A10= 3.87343e-015  A12=-8.69714e-018  A14= 3.67924e-021  A16= 7.12444e-024
第2面
K =-4.29210e-001  A 4=-3.62931e-005  A 6=-3.46777e-008  A 8=-1.96516e-011  A10=-1.30417e-013  A12= 5.38442e-017
第3面
K = 0.00000e+000  A 4=-7.42591e-006  A 6= 1.65065e-009  A 8= 6.00974e-012  A10=-3.36971e-014  A12= 6.25253e-017
第4面
K = 4.96130e+000  A 4= 1.71670e-005  A 6= 3.20535e-008  A 8= 2.90666e-011  A10= 2.66494e-014  A12=-6.54285e-016
第26面
K = 0.00000e+000  A 4= 3.91676e-005  A 6= 6.06393e-008  A 8=-1.09482e-010  A10=-3.87711e-012  A12= 1.22683e-014
各種データ
ズーム比      2.82
広角     中間     望遠
焦点距離      14.43    21.62    40.74
Fナンバー      4.12     4.12     4.12
半画角          56.30    45.01    27.97
像高          21.64    21.64    21.64
レンズ全長   138.31   128.15   129.29
BF            12.84    12.84    12.84
d 8           37.58    19.35     1.50
d21            4.30     6.32    10.83
d26            5.68    11.73    26.21
レンズ群データ
群  始面    焦点距離  レンズ構成長
1    1     -23.81        24.99
2    9      26.69        34.82
3   22     -29.96        11.23
4   27      69.30         6.88
フォーカシング時の移動量
Mt2b=-1.101
Mt3= 1.845
部分群Ｌ２ｂの焦点距離
f2b = 108.77
【００９９】
（数値実施例４）
単位 mm
面データ
面番号       r        d      nd         vd
1*        81.093    2.50   1.69680    55.5
2*        14.614   11.47
3*       -41.676    1.30   1.85135    40.1
4*        55.018    0.15
5         26.663    5.94   2.00069    25.5
6        319.936  (可変)
7(絞り)    ∞       1.00
8         32.284    0.80   2.00272    19.3
9         13.457    5.38   1.80518    25.4
10       -172.917    5.30
11        -19.285    0.80   1.67300    38.1
12        -67.952    2.53   1.89286    20.4
13        -35.609    0.15
14         38.126    3.89   1.69680    55.5
15        -47.578    0.20
16          ∞       0.82
17         33.205    0.90   2.00069    25.5
18         13.917    7.91   1.49700    81.5
19        -40.320  (可変)
20         77.881    7.28   1.95906    17.5
21        -15.310    0.90   1.84666    23.9
22         31.719    2.67
23        -47.694    1.10   1.92286    20.9
24*       140.162  (可変)
25       -379.362    8.89   1.49700    81.5
26        -30.296   12.78
像面        ∞
非球面データ
第1面
K = 0.00000e+000  A 4=-4.05198e-006  A 6= 1.54753e-008  A 8=-2.39776e-012  A10= 1.58481e-014  A12=-7.80008e-017  A14= 9.04023e-020  A16= 2.38074e-023
第2面
K =-3.18855e-001  A 4=-3.29042e-005  A 6=-1.14469e-007  A 8= 1.86245e-010  A10=-1.25144e-012  A12= 5.20847e-015  A14=-2.09946e-017  A16= 1.85240e-020
第3面
K = 0.00000e+000  A 4=-6.77081e-006  A 6= 6.59529e-008  A 8=-1.29402e-010  A10= 1.73674e-013  A12=-9.17650e-017
第4面
K = 7.08297e+000  A 4= 1.84660e-005  A 6= 1.03979e-007  A 8=-1.47605e-010  A10= 4.84978e-013  A12=-2.22241e-015
第24面
K = 0.00000e+000  A 4= 4.39688e-005  A 6= 4.16926e-008  A 8=-3.53368e-010  A10= 9.56974e-013  A12=-1.18402e-014
各種データ
ズーム比      2.36
広角     中間     望遠
焦点距離      16.41    23.12    38.80
Fナンバー      4.12     4.12     4.12
半画角          52.82    43.10    29.14
像高          21.64    21.64    21.64
レンズ全長   118.88   112.53   114.89
BF            12.78    12.78    12.78
d 6           27.64    14.58     1.89
d19            0.70     2.65     5.97
d24            5.87    10.64    22.35
レンズ群データ
群  始面    焦点距離  レンズ構成長
1    1     -25.26        21.36
2    7      24.64        29.68
3   20     -32.36        11.96
4   25      65.69         8.89
フォーカシング時の移動量
Mt2b=-0.618
Mt3=2.714
部分群Ｌ２ｂの焦点距離
f2b= 157.35
【０１００】
（数値実施例５）
単位 mm
面データ
面番号       r        d      nd         vd
1*       101.573    2.50   1.69680    55.5
2*        15.096   11.15
3*       -44.334    1.30   1.85135    40.1
4*        52.241    0.15
5         27.050    5.93   2.00069    25.5
6        408.879  (可変)
7(絞り)    ∞       1.00
8         33.023    0.80   2.00272    19.3
9         14.118    4.99   1.80518    25.4
10       -377.165    5.30
11        -19.334    0.80   1.67300    38.1
12        -38.167    2.31   1.89286    20.4
13        -28.489    0.15
14         35.197    3.40   1.69680    55.5
15        -77.088    1.58
16          ∞       0.20
17         32.407    0.90   2.00069    25.5
18         14.352    7.79   1.49700    81.5
19        -37.412  (可変)
20         98.192    7.39   1.95906    17.5
21        -14.807    0.90   1.84666    23.8
22         31.848    2.88
23        -39.800    1.10   1.92286    20.9
24*      3653.169  (可変)
25       -451.643    8.73   1.49700    81.5
26        -30.991   12.78
像面        ∞
非球面データ
第1面
K = 0.00000e+000  A 4=-2.51758e-006  A 6= 1.48408e-008  A 8=-2.58581e-012  A10= 2.14121e-014  A12=-8.63426e-017  A14= 7.81719e-020  A16= 5.22897e-023
第2面
K =-2.79814e-001  A 4=-3.23978e-005  A 6=-1.11698e-007  A 8= 1.60133e-010  A10=-1.08608e-012  A12= 5.99910e-015  A14=-2.70871e-017  A16= 2.91744e-020
第3面
K = 0.00000e+000  A 4=-1.05350e-005  A 6= 5.52311e-008  A 8=-8.75663e-011  A10= 1.95081e-013  A12=-1.81688e-016
第4面
K = 8.57601e+000  A 4= 1.15894e-005  A 6= 9.87416e-008  A 8=-1.64318e-010  A10= 3.61096e-013  A12=-2.05514e-015
第24面
K = 0.00000e+000  A 4= 4.44651e-005  A 6= 5.64526e-008  A 8= 1.60542e-011  A10=-2.18088e-012  A12= 4.46046e-016
各種データ
ズーム比      2.36
広角     中間     望遠
焦点距離      16.41    22.75    38.81
Fナンバー      4.12     4.12     4.12
半画角          52.82    43.56    29.14
レンズ全長   118.88   112.93   113.87
BF            12.78    12.78    12.78
d 6           28.17    15.68     1.74
d19            0.70     2.25     5.88
d24            5.98    10.97    22.22
レンズ群データ
群  始面    焦点距離  レンズ構成長
1    1     -25.56        21.03
2    7      24.41        29.21
3   20     -32.00        12.27
4   25      66.49         8.73
フォーカシング時の群移動量
Mt2b = 1.377
Mt3 = 2.915
部分群Ｌ２ｂの焦点距離
f2b = 42.96
【０１０１】
（数値実施例６）
単位 mm
面データ
面番号       r        d      nd         vd
1*       123.568    2.50   1.69680    55.5
2*        15.864   10.81
3*       -37.900    1.30   1.85135    40.1
4*        51.465    0.20
5         25.464    6.26   2.00069    25.5
6        341.767  (可変)
7(絞り)    ∞       1.00
8         31.262    0.80   2.00272    19.3
9         13.006    5.50   1.80518    25.4
10       -249.898    5.30
11        -19.087    0.80   1.67300    38.1
12        -65.665    2.57   1.89286    20.4
13        -34.076    0.15
14         37.212    3.93   1.69680    55.5
15        -46.711  (可変)
16          ∞       0.82
17         33.153    0.90   2.00069    25.5
18         13.831    7.88   1.49700    81.5
19        -42.625  (可変)
20         78.376    7.26   1.95906    17.5
21        -15.355    0.90   1.84666    23.9
22         30.643    3.00
23        -38.290    1.10   1.92286    20.9
24*      5141.664  (可変)
25       -410.950    8.90   1.49700    81.5
26        -30.379   12.78
像面        ∞
非球面データ
第1面
K = 0.00000e+000  A 4= 1.10360e-005  A 6=-6.03260e-008  A 8= 3.23716e-010  A10=-9.08869e-013  A12= 1.61350e-015  A14=-1.78235e-018  A16= 9.80620e-022
第2面
K =-3.31951e-001  A 4=-2.00357e-005  A 6=-1.66690e-007  A 8= 9.59125e-010  A10=-7.41228e-012  A12= 4.31838e-014  A14=-1.25864e-016  A16= 1.14617e-019
第3面
K = 0.00000e+000  A 4=-7.23533e-006  A 6= 1.62972e-007  A 8=-3.80526e-010  A10=-1.09805e-012  A12= 3.90499e-015
第4面
K = 1.00219e+001  A 4= 2.30158e-005  A 6= 1.56886e-007  A 8=-2.25829e-010  A10=-2.96587e-012  A12= 6.39419e-015
第24面
K = 0.00000e+000  A 4= 4.22982e-005  A 6= 4.77662e-008  A 8=-2.17479e-010  A10=-1.08549e-013  A12=-6.34307e-015
各種データ
ズーム比      2.36
広角     中間     望遠
焦点距離      16.41    21.36    38.81
Fナンバー      4.12     4.12     4.12
半画角          52.82    45.36    29.14
像高          21.64    21.64    21.64
レンズ全長   118.88   113.95   114.99
BF            12.78    12.78    12.78
d 6           27.41    17.31     1.84
d15            0.20     0.40     0.45
d19            0.70     1.99     6.36
d24            5.91     9.59    21.66
レンズ群データ
群  始面    焦点距離  レンズ構成長
1    1     -24.82        21.07
2    7      26.35        20.06
3   16     163.52         9.60
4   20     -32.95        12.26
5   25      65.50         8.90
フォーカシング時の移動量
Mt3=-0.617
Mt4 = 2.8797
【０１０２】
（数値実施例７）
単位 mm
面データ
面番号       r        d      nd         vd
1*        80.837    2.50   1.69680    55.5
2*        14.657   11.41
3*       -41.855    1.30   1.85135    40.1
4*        52.200    0.15
5         26.550    6.01   2.00069    25.5
6        359.063  (可変)
7(絞り)    ∞       1.00
8         32.027    0.80   2.00272    19.3
9         13.352    5.39   1.80518    25.4
10       -200.715    5.30
11        -19.176    0.80   1.67300    38.1
12        -66.129    2.55   1.89286    20.4
13        -34.730    0.15
14         37.260    3.81   1.69680    55.5
15        -48.251  (可変)
16          ∞       0.82
17         32.957    0.90   2.00069    25.5
18         13.822    7.95   1.49700    81.5
19        -40.728  (可変)
20         79.483    7.34   1.95906    17.5
21        -15.171    0.90   1.84666    23.9
22         31.782    2.75
23        -44.224    1.10   1.92286    20.9
24*       181.850  (可変)
25       -404.141    8.95   1.49700    81.5
26        -30.240  (可変)
像面        ∞
非球面データ
第1面
K = 0.00000e+000  A 4=-4.80079e-006  A 6= 1.77008e-008  A 8=-3.42536e-012  A10= 1.66409e-014  A12=-8.33095e-017  A14= 8.68499e-020  A16= 3.93297e-023
第2面
K =-3.17830e-001  A 4=-3.42124e-005  A 6=-1.09366e-007  A 8= 1.78658e-010  A10=-1.44887e-012  A12= 8.65743e-015  A14=-3.53242e-017  A16= 3.62840e-020
第3面
K = 0.00000e+000  A 4=-6.16877e-006  A 6= 6.10959e-008  A 8=-1.27589e-010  A10= 1.38921e-013  A12= 7.56412e-017
第4面
K = 8.23633e+000  A 4= 1.72374e-005  A 6= 9.34353e-008  A 8=-1.67789e-010  A10= 3.29605e-013  A12=-1.93178e-015
第24面
K = 0.00000e+000  A 4= 4.43626e-005  A 6= 4.02682e-008  A 8=-3.30759e-010  A10= 1.08425e-012  A12=-1.27588e-014
各種データ
ズーム比      2.36
広角     中間     望遠
焦点距離      16.41    22.81    38.80
Fナンバー      4.12     4.12     4.12
画角          52.82    43.48    29.14
像高          21.64    21.64    21.64
レンズ全長   118.89   112.79   114.89
BF            12.79    12.97    12.78
d 6           27.51    14.93     1.81
d15            0.20     0.15     0.41
d19            0.70     2.55     5.96
d24            5.81    10.30    22.05
d26           12.79    12.97    12.78
レンズ群データ
群  始面    焦点距離  レンズ構成長
1    1     -25.16        21.37
2    7      26.57        19.80
3   16     146.67         9.67
4   20     -32.17        12.10
5   25      65.25         8.95
フォーカシング時の移動量
Mt3=-0.618
Mt4=2.723
【０１０３】
【表１】
2019066653.tif 000003
【０１０４】
【表２】
2019066653.tif 000004
【０１０５】
［撮像装置の実施例］
次に、本発明の光学系を撮像光学系として用いた撮像装置の実施例について図１５を用いて説明する。撮像装置１００は、例えば、デジタルスチルカメラ、ビデオカメラ、監視カメラ、放送用カメラ等の撮像素子を用いた撮像装置、又は銀塩写真フィルムを用いたカメラ等の撮像装置である。図１５において、カメラ本体１０は、実施例１乃至７で説明したいずれかの光学系である撮影光学系１１と、カメラ本体１０に内蔵され且つ撮影光学系１１によって形成された被写体像を受光する固体撮像素子（光電変換素子）１２とを有する。固体撮像素子１２は、例えばＣＣＤセンサやＣＭＯＳセンサ等である。
【０１０６】
このように本発明の光学系をデジタルスチルカメラ等の撮像装置に適用することにより、小型で、無限遠から至近距離まで高い光学性能を有する撮像装置を得ることができる。
【符号の説明】
【０１０７】
Ｌ１  第１レンズ群
Ｌ２  第２レンズ群
Ｌ３  第３レンズ群
Ｌ４  第４レンズ群
Ｌ５  第５レンズ群
Ｌ２ａ  第１部分群
Ｌ２ｂ  第２部分群
【図１】
2019066653.tif 000005
【図２】
2019066653.tif 000006
【図３】
2019066653.tif 000007
【図４】
2019066653.tif 000008
【図５】
2019066653.tif 000009
【図６】
2019066653.tif 000010
【図７】
2019066653.tif 000011
【図８】
2019066653.tif 000012
【図９】
2019066653.tif 000013
【図１０】
2019066653.tif 000014
【図１１】
2019066653.tif 000015
【図１２】
2019066653.tif 000016
【図１３】
2019066653.tif 000017
【図１４】
2019066653.tif 000018
【図１５】
2019066653.tif 000019